(57)【要約】【課題】本発明は、携帯通信端末を利用して、提供を希望する画像を、簡便な処理により相手の携帯通信端末から認識できる画像提供システム、画像提供方法、及び画像提供プログラムを提供することを課題とする。【解決手段】通信ネットワーク１に接続された情報サーバ４を介して、一方の携帯通信端末３から他方の携帯通信端末３に、情報サーバ４に格納された画像中、特定の画像を提供する際に、情報サーバ４はサービス提供契約を締結している一方の携帯通信端末３に格納されている画像へのアクセス情報を適宜提供し、一方の携帯通信端末３は、特定の画像の抽出条件と、アクセス情報と、を含む画像提供情報を他方の携帯通信端末３に送り、他方の携帯通信端末３は画像提供情報の抽出条件と、アクセス条件とを含めた画像取得要求を情報サーバ４に送り、情報サーバ４は画像取得要求に基づき特定の画像を抽出し、他方の携帯通信端末３に送信する。【選択図】図１
2011203876.tif 000002
【特許請求の範囲】
【請求項１】
第１の携帯通信端末と、第２の携帯通信端末と、通信ネットワークに接続され、複数の画像を格納した画像記憶部を有し、前記携帯通信端末にサービスを提供する情報サーバとを備え、前記第１の携帯通信端末から前記第２の携帯通信端末への通知により、前記情報サーバを介して、前記第２の携帯通信端末に前記画像を提供する画像提供システムにおいて、
前記画像記憶部に格納された前記画像は、該画像と、該画像の抽出用情報とを関連づけて構成された画像情報であり、
前記第１の携帯通信端末は、
前記情報サーバから通知される前記画像記憶部へのアクセスに必要な情報であるアクセス情報を格納する第１の端末記憶部と、
提供する画像を抽出するための条件である画像抽出条件、および前記第１の端末記憶部から読み出した前記アクセス情報を含む画像提供情報を、前記第２の携帯通信端末への前記通知の内容として生成する画像提供情報生成部と、
生成した前記画像提供情報を前記第２の携帯通信端末に送信する第１の無線通信部と、を備え、
前記第２の携帯通信端末は、
受信した前記画像提供情報に含まれる前記画像抽出条件、および前記アクセス情報を含む画像取得要求を生成する画像取得要求生成部と、        
生成した前記画像取得要求を、前記アクセス情報に基づき、前記情報サーバに送信する第２の無線通信部と、を備え、
前記情報サーバは、受信した前記画像取得要求に基づき、前記画像記憶部に格納された前記画像情報から前記画像抽出条件に合致する画像を抽出する画像抽出部を備える、
ことを特徴とする画像提供システム。
【請求項２】
前記画像取得要求は、画像送信先情報として前記第２の携帯通信端末のアドレスを更に含み、
前記情報サーバは、
前記画像記憶部として第１の画像記憶部を有し、
前記第１の携帯通信端末にサービスを提供する第１の情報サーバであり、
前記アクセス情報を、前記第１の画像記憶部へのアクセス情報である第１のアクセス情報とし、
前記画像取得要求に含まれる前記画像送信先情報に基づき、前記抽出した画像を前記第２の携帯通信端末が認識できるようにする部位を備える、
ことを特徴とする請求項１に記載の画像提供システム。
【請求項３】
前記情報サーバは、
前記画像記憶部として第１の画像記憶部を有し、前記第１の携帯通信端末にサービスを提供する第１の情報サーバと、
前記画像記憶部として第２の画像記憶部を有し、前記第２の携帯通信端末にサービスを提供する第２の情報サーバと、を備え、
前記第１の端末記憶部に記憶される前記アクセス情報は、前記第１の画像記憶部へのアクセスに必要な情報である第１のアクセス情報であり、
前記第２の携帯通信端末は、前記第２の情報サーバから通知される前記第２の画像記憶部へのアクセスに必要な情報である第２のアクセス情報を格納する第２の端末記憶部を更に備えるとともに、
前記画像取得要求は、画像送信先情報として前記第２の端末記憶部から読み出した前記第２のアクセス情報、および画像取得要求元情報として前記第２の携帯通信端末のアドレスを更に加えたものであり、
前記第１の情報サーバは、前記画像送信先情報に基づき、前記抽出した画像を前記第２の情報サーバに送信する第１のサーバ通信部を備え、
前記第２の情報サーバは、前記画像取得要求元情報に基づき、受信した前記画像を、前記第２の携帯通信端末が認識できるようにする部位を備える、
ことを特徴とする請求項１に記載の画像提供システム。
【請求項４】
前記認識できるようにする部位は、前記受信した画像を前記第２の携帯通信端末に送信する前記第１の情報サーバのサーバ通信部である、
ことを特徴とする請求項２に記載の画像提供システム。
【請求項５】
前記認識できるようにする部位は、前記受信した画像を前記第２の携帯通信端末に送信する前記第２の情報サーバのサーバ通信部である、
ことを特徴とする請求項３に記載の画像提供システム。
【請求項６】
前記認識できるようにする部位は、
前記受信した画像を前記第２の画像記憶部に格納する制御を行う前記第２の情報サーバのサーバ制御部と、
前記格納が完了したことを前記第２の携帯通信端末に通知する前記第２の情報サーバのサーバ通信部と、で構成されている、
ことを特徴とする請求項３に記載の画像提供システム。
【請求項７】
前記第１の携帯通信端末は、その位置の情報を取得する測位部を備え、
前記画像情報を構成する前記画像の抽出用情報は、該画像の撮影位置であり、
前記画像抽出条件は、前記画像の撮影位置が、前記測位部で取得された前記第１の携帯通信端末の位置と所定の範囲内で一致することである、
ことを特徴とする請求項２乃至６のいずれか１項に記載の画像提供システム。
【請求項８】
前記第１の携帯通信端末は、
撮影手段と、
前記撮影手段により撮影された画像を、前記測位部により取得した撮影時の位置である撮影位置と関連づけて前記画像情報とする画像情報生成部と、を備え
前記生成した画像情報を前記第１の情報サーバに送信し、
前記第１の情報サーバは、受信した前記生成した画像情報を、前記第１の画像記憶部に格納する、
ことを特徴とする請求項７に記載の画像提供システム。
【請求項９】
第１の携帯通信端末と、第２の携帯通信端末と、通信ネットワークに接続され、複数の画像を格納した画像記憶部を有し、前記携帯通信端末にサービスを提供する情報サーバとを備え、前記第１の携帯通信端末から前記第２の携帯通信端末への通知により、前記情報サーバを介して、前記第２の携帯通信端末に前記画像を提供する画像提供方法において、
前記画像記憶部に格納された前記画像は、該画像と、該画像の抽出用情報とを関連づけて構成された画像情報であり、
前記第１の携帯通信端末が、前記情報サーバから通知される前記画像記憶部へのアクセスに必要な情報であるアクセス情報を、前記第１の携帯通信端末の記憶部である第１の端末記憶部に格納するアクセス情報格納ステップと、
前記第１の携帯通信端末が、画像抽出条件、および前記第１の端末記憶部から読み出した前記アクセス情報を含む画像提供情報を、前記第２の携帯通信端末への前記通知の内容として生成する画像提供情報生成ステップと、
生成した前記画像提供情報を、前記第２の携帯通信端末に送信する画像提供情報送信ステップと、
前記第２の携帯通信端末が、受信した前記画像提供情報に含まれる前記画像抽出条件、および前記アクセス情報を含む画像取得要求を生成する画像取得要求生成ステップと、
生成した前記画像取得要求を、前記アクセス情報に基づき、前記情報サーバに送信する画像要求送信ステップと、
前記情報サーバが、受信した前記画像取得要求に基づき、前記画像記憶部に格納された前記画像情報から前記画像抽出条件に合致する画像を抽出する画像抽出ステップと、
を備えることを特徴とする画像提供方法。
【請求項１０】
第１の携帯通信端末と、第２の携帯通信端末と、通信ネットワークに接続され、複数の画像を格納した画像記憶部を有し、前記携帯通信端末にサービスを提供する情報サーバとを備え、前記第１の携帯通信端末から前記第２の携帯通信端末への通知により、前記情報サーバを介して、前記第２の携帯通信端末に前記画像を提供する画像提供プログラムにおいて、
前記画像記憶部に格納された前記画像は、該画像と、該画像の抽出用情報とを関連づけて構成された画像情報であり、
前記第１の携帯通信端末が、前記情報サーバから通知される前記画像記憶部へのアクセスに必要な情報であるアクセス情報を、前記第１の携帯通信端末の記憶部である第１の端末記憶部に格納するアクセス情報格納ステップと、
前記第１の携帯通信端末が、画像抽出条件、および前記第１の端末記憶部から読み出した前記アクセス情報を含む画像提供情報を、前記第２の携帯通信端末への前記通知の内容として生成する画像提供情報生成ステップと、
生成した前記画像提供情報を、前記第２の携帯通信端末に送信する画像提供情報送信ステップと、
前記第２の携帯通信端末が、受信した前記画像提供情報に含まれる前記画像抽出条件、および前記アクセス情報を含む画像取得要求を生成する画像取得要求生成ステップと、
生成した前記画像取得要求を、前記アクセス情報に基づき、前記情報サーバに送信する画像要求送信ステップと、
前記情報サーバが、受信した前記画像取得要求に基づき、前記画像記憶部に格納された前記画像情報から前記画像抽出条件に合致する画像を抽出する画像抽出ステップと、
をコンピュータに実行させることを特徴とする画像提供プログラム。
【発明の詳細な説明】
【技術分野】
【０００１】
本発明は、携帯通信端末間でお互いの有する画像を交換し合う画像提供システム、画像提供方法、及び画像提供プログラムに関する。
【背景技術】
【０００２】
人が街角などで待ち合わせをする際に、画像提供システムを使って、その街角の写真を待ち合わせする相手に提供して相手の携帯端末に表示させることにより、待ち合わせ相手は、初めて行く場所であっても、この写真の場所を手がかりにして、その場所に行くことができる。また、このシステムを利用すれば自分では行ったことがない場所の画像を取得できるため、いろいろな場所の画像を取得したい場合に、画像取得効率が向上する。このように画像提供システムには多くのメリットがあるため、各種の画像提供システムが提案されている。
【０００３】
一例として、ネットワーク上の画像データベースにアクセス可能に構成された携帯端末間で画像を提供する場合に、一方の携帯端末が、画像データベースに記憶されている特定の画像ファイルのネットワーク上のアドレスを示すアドレス情報を取得し、他方の携帯端末に送信し、他方の携帯端末は、受信したアドレス情報に基づき、画像データベースから前記特定の画像ファイルを取得する（特許文献１）。
【０００４】
他の例では、イベント参加者を対象として、主催者の携帯電話機から参加者の携帯電話機に管理サーバ装置のＵＲＬ（Ｕｎｉｆｏｒｍ  Ｒｅｓｏｕｒｃｅ  Ｌｏｃａｔｏｒ）情報が送信される。イベント参加者の携帯電話機を管理サーバに対して登録した後は、各イベント参加者は、このＵＲＬ情報を使って各自の携帯電話で撮影した静止画像のアップロードと、他の参加者の撮影した静止画像を含め管理サーバに格納されている静止画像のダウンロードとが可能となる。（特許文献２）
【０００５】
更に、電話相手と、話題になったコンテンツをその場で交換できるコンテンツ共有システムを提供するものもある（特許文献３）。このシステムは、インターネットにアクセス可能な携帯電話Ａ，Ｂと、それぞれと連携するインターネットに接続されたコンテンツサーバＡ，Ｂとを備える。携帯電話Ａは、コンテンツサーバＡに要求してコンテンツ一覧を取得する。携帯電話Ａは、この一覧から送信を希望するコンテンツを指定して携帯電話Ｂに送信する。携帯電話Ｂはこの指定されたコンテンツを取得すべく、コンテンツサーバＢに取得コンテンツ更新要求を送信する。コンテンツサーバＢは、これを受けてコンテンツサーバＡにコンテンツの取得依頼を送信し、コンテンツサーバＡから該当するコンテンツを取得する。携帯電話ＢはコンテンツサーバＢの予め設定済みのアドレスにアクセスすることにより上記取得したコンテンツの閲覧等が可能になる。
【０００６】
カメラで撮影した画像を店舗を介してユーザが簡便に閲覧できるようにしたものもある（特許文献４）。例えば、ユーザは画像を撮影したレンタルカメラを店舗に返却する。その際、店舗はユーザに閲覧用のアドレスデータを付与する。また、店舗は撮影した画像のデータと前記アドレスデータをサーバに送付し、サーバはこのアドレスと関連づけて撮影した画像を閲覧可能に記憶部に格納する。ユーザは付与されたアドレスデータによりサーバにアクセスし、自己の撮影した画像を閲覧または取得する。
【０００７】
同じく、カメラで撮影した画像を簡単な操作で他人が閲覧または取得できるようにしたものもある（特許文献５）。画像はサイトサーバに格納される。サイトサーバの画像データ格納領域のアドレスは、カメラの表示部に表示される例えばＱＲコード（登録商標；Ｑｕｉｃｋ  Ｒｅｓｐｏｎｓｅ）を携帯端末のカメラで撮影したのち、これを変換してアドレスデータにする。これにより簡単にサイトサーバの画像データ格納領域にアクセスすることができ、画像を閲覧または取得することができる。  
【先行技術文献】
【特許文献】
【０００８】
【特許文献１】国際公開第２００７／０９７２５３号
【特許文献２】特開２００９−００９２０４号公報
【特許文献３】特開２００８−１５８８４３号公報
【特許文献４】特開２００２−１７００５９号公報
【特許文献５】特開２００８−２３６１５９号公報
【発明の概要】
【発明が解決しようとする課題】
【０００９】
しかし、例えば、特許文献１ではユーザが特定の画像ファイルを相手に送信する場合、その特定の画像ファイルの格納されているネットワーク上のアドレスを取得する必要がある。特許文献３ではコンテンツを送信する際に、コンテンツ一覧を取得して、送信するコンテンツを指定する必要がある。特許文献２、４、５では特定の画像ファイルを送付・閲覧させることはできない。特定の画像ファイルを送付・閲覧させるためには予めその画像を特定して、ユーザに連絡する必要がある。
【００１０】
このように、従来の画像提供システムでは、特定の画像を相手に提供するためには、ネットワーク上でのその画像の格納アドレスを確認したうえで相手にそのアドレスおよびアクセスに必要な認証情報を連絡する必要があり、画像提供の手続きが面倒であった。
【００１１】
特に、所定の場所の画像を、相手に提供したい場合、その場所の地名や位置情報などに基づき、地図情報サイトなどの情報提供サイトにて検索を行い、所望する画像の格納先を確認するという作業が必要となる。このような画像の提供には、画像を提供することを希望する者が「現在地の通知」や「サイトでの検索」などの作業を行う必要が生じるため、画像提供に係る手順が多く、画像を提供してコミュニケーションをとる場合に円滑なコミュニケーションが阻害されるという問題点があった。
【００１２】
本発明は、携帯通信端末を利用して、提供を希望する画像を、簡便な処理により相手の携帯通信端末から認識できる画像提供システム、画像提供方法、及び画像提供プログラムを提供することを目的とする。
【課題を解決するための手段】
【００１３】
本発明の第１の観点に係る画像提供システムは、
第１の携帯通信端末と、第２の携帯通信端末と、通信ネットワークに接続され、複数の画像を格納した画像記憶部を有し、前記携帯通信端末にサービスを提供する情報サーバとを備え、前記第１の携帯通信端末から前記第２の携帯通信端末への通知により、前記情報サーバを介して、前記第２の携帯通信端末に前記画像を提供する画像提供システムにおいて、
前記画像記憶部に格納された前記画像は、該画像と、該画像の抽出用情報とを関連づけて構成された画像情報であり、
前記第１の携帯通信端末は、
前記情報サーバから通知される前記画像記憶部へのアクセスに必要な情報であるアクセス情報を格納する第１の端末記憶部と、
提供する画像を抽出するための条件である画像抽出条件、および前記第１の端末記憶部から読み出した前記アクセス情報を含む画像提供情報を、前記第２の携帯通信端末への前記通知の内容として生成する画像提供情報生成部と、
生成した前記画像提供情報を前記第２の携帯通信端末に送信する第１の無線通信部と、を備え、
前記第２の携帯通信端末は、
受信した前記画像提供情報に含まれる前記画像抽出条件、および前記アクセス情報を含む画像取得要求を生成する画像取得要求生成部と、        
生成した前記画像取得要求を、前記アクセス情報に基づき、前記情報サーバに送信する第２の無線通信部と、を備え、
前記情報サーバは、
受信した前記画像取得要求に基づき、前記画像記憶部に格納された前記画像情報から前記画像抽出条件に合致する画像を抽出する画像抽出部、を備える。
【００１４】
本発明の第２の観点に係る画像提供方法は、
第１の携帯通信端末と、第２の携帯通信端末と、通信ネットワークに接続され、複数の画像を格納した画像記憶部を有し、前記携帯通信端末にサービスを提供する情報サーバとを備え、前記第１の携帯通信端末から前記第２の携帯通信端末への通知により、前記情報サーバを介して、前記第２の携帯通信端末に前記画像を提供する画像提供方法において、
前記画像記憶部に格納された前記画像は、該画像と、該画像の抽出用情報とを関連づけて構成された画像情報であり、
前記第１の携帯通信端末が、前記情報サーバから通知される前記画像記憶部へのアクセスに必要な情報であるアクセス情報を、前記第１の携帯通信端末の記憶部である第１の端末記憶部に格納するアクセス情報格納ステップと、
前記第１の携帯通信端末が、画像抽出条件、および前記第１の端末記憶部から読み出した前記アクセス情報を含む画像提供情報を、前記第２の携帯通信端末への前記通知の内容として生成する画像提供情報生成ステップと、
生成した前記画像提供情報を、前記第２の携帯通信端末に送信する画像提供情報送信ステップと、
前記第２の携帯通信端末が、受信した前記画像提供情報に含まれる前記画像抽出条件、および前記アクセス情報を含む画像取得要求を生成する画像取得要求生成ステップと、
生成した前記画像取得要求を、前記アクセス情報に基づき、前記情報サーバに送信する画像要求送信ステップと、
前記情報サーバが、受信した前記画像取得要求に基づき、前記画像記憶部に格納された前記画像情報から前記画像抽出条件に合致する画像を抽出する画像抽出ステップと、
を備える。
【００１５】
本発明の第３の観点に係る画像提供プログラムは、
第１の携帯通信端末と、第２の携帯通信端末と、通信ネットワークに接続され、複数の画像を格納した画像記憶部を有し、前記携帯通信端末にサービスを提供する情報サーバとを備え、前記第１の携帯通信端末から前記第２の携帯通信端末への通知により、前記情報サーバを介して、前記第２の携帯通信端末に前記画像を提供する画像提供プログラムにおいて、
前記画像記憶部に格納された前記画像は、該画像と、該画像の抽出用情報とを関連づけて構成された画像情報であり、
前記第１の携帯通信端末が、前記情報サーバから通知される前記画像記憶部へのアクセスに必要な情報であるアクセス情報を、前記第１の携帯通信端末の記憶部である第１の端末記憶部に格納するアクセス情報格納ステップと、
前記第１の携帯通信端末が、画像抽出条件、および前記第１の端末記憶部から読み出した前記アクセス情報を含む画像提供情報を、前記第２の携帯通信端末への前記通知の内容として生成する画像提供情報生成ステップと、
生成した前記画像提供情報を、前記第２の携帯通信端末に送信する画像提供情報送信ステップと、
前記第２の携帯通信端末が、受信した前記画像提供情報に含まれる前記画像抽出条件、および前記アクセス情報を含む画像取得要求を生成する画像取得要求生成ステップと、
生成した前記画像取得要求を、前記アクセス情報に基づき、前記情報サーバに送信する画像要求送信ステップと、
前記情報サーバが、受信した前記画像取得要求に基づき、前記画像記憶部に格納された前記画像情報から前記画像抽出条件に合致する画像を抽出する画像抽出ステップと、
をコンピュータに実行させる。
【発明の効果】
【００１６】
本発明の画像提供システム、画像提供方法、及び画像提供プログラムによれば、簡便な処理により画像を相互に利用可能にすることができる。
【図面の簡単な説明】
【００１７】
【図１】本発明の実施形態１に係る画像提供システムの例を示す概略図である。
【図２】実施形態１に係る画像提供システムを構成する機器間の関係の例を示す回路ブロック図である。
【図３】実施形態１に係る画像提供の準備工程および実行手順の概要を示す図である。
【図４】（ａ）実施形態１に係る画像情報の構成例を示す図、（ｂ）実施形態１に係る画像提供情報の構成例を示す図、（ｃ）実施形態１に係る画像取得要求の構成例を示す図、である。
【図５】実施形態１に係る画像提供の準備工程１の例を示すフロー図である。
【図６】実施形態１に係る画像提供の準備工程２の例を示すフロー図である。
【図７】実施形態１に係る画像提供方法１の例を示すフロー図である。
【図８】実施形態１に係る画像抽出ステップの詳細例を示すフロー図である。
【図９】本発明の実施形態２に係る画像提供システムの例を示す概略図である。
【図１０】実施形態２に係る画像提供システムを構成する機器間の関係の例を示す回路ブロック図である。
【図１１】実施形態２に係る画像提供の準備工程および実行手順の概要を示す図である。
【図１２】実施形態２に係る画像取得要求の構成例を示す図である。
【図１３】実施形態２に係る画像提供方法２の例を示すフロー図である。
【発明を実施するための形態】
【００１８】
（実施形態１）
図１は本発明の実施形態１に係る画像提供システムの例を示す概略図である。画像提供システムは複数の携帯通信端末３と、情報サーバ４とで構成され、携帯通信端末３から他の携帯通信端末３に通信ネットワーク１、及び情報サーバ４を介して画像情報を提供する。携帯通信端末３および情報サーバ４はプログラム制御により動作し、無線基地局２が接続されたインターネット等の通信ネットワーク１を介して相互に接続されている。また、情報サーバ４は携帯通信端末３とサービス提供契約を締結している。
【００１９】
携帯通信端末３は、通信機能（通話、メール送受信、インターネット接続等）を備えた携帯型の情報処理装置であって、例えば、携帯電話機である。携帯通信端末３は、図１に示すように、アンテナを介して通信ネットワーク１に接続されている無線基地局２との間で無線により情報の送受を行う無線通信部３００と、相手に画像を提供する際に、提供する画像に関する情報（以下では画像提供情報と呼ぶ）を生成する画像提供情報生成部３０１１、及び相手から画像提供情報を受けたときに、その画像提供情報に基づいて情報サーバ４に画像の取得を要求する内容を生成する画像取得要求生成部３０１２を含む端末処理部３０１と、携帯通信端末３の機能を実現するために以下の各部の制御を行う端末制御部３０２と、電話帳、送受信メール、発着呼情報、コンテンツ情報、アプリケーションプログラム、画像、および携帯通信端末３の諸設定等を格納する端末記憶部３０３と、図示しないＧＰＳ（Ｇｌｏｂａｌ  Ｐｏｓｉｔｉｏｎｉｎｇ  Ｓｙｓｔｅｍ）衛星から発射された電波であるＧＰＳ信号を受信して携帯通信端末３の位置を求める測位部３０４と、画像の取得（撮影）を行うカメラ部３０５と、テンキー、方向キー／決定キー、ファンクションキー等から構成され、携帯通信端末に対して利用者が各種情報の入力を行う操作部３０６と、音楽や報知音などの鳴音出力を行うスピーカ３０７と、送話部（送話マイク３０８１）および受話部（受話スピーカ３０８２）を介して入出力された音声信号の処理を行う音声処理部３０８と、画像、図形、文字、記号などの情報表示出力（映像信号処理）を行う表示部３０９と、を備えている。また、端末処理部３０１は、カメラ部３０５で撮影した画像と、測位部３０４で求めた撮影時の携帯通信端末３の位置とを関連付けた画像情報を生成する画像情報生成部３０１３をも備える。画像情報生成部３０１３は、携帯通信端末３で撮影した画像を情報サーバ４の画像記憶部４０３に、例えば提供用画像として格納する際に利用される。
【００２０】
情報サーバ４は、画像等の情報を格納する、例えばワークステーション・サーバ等の情報処理装置で、、サービス契約締結により携帯通信端末３に各種のサービスを提供する。情報サーバ４は、通信ネットワーク上の機器と通信するためのサーバ通信部４００と、画像、及びその画像を撮影した場所の位置情報とを関連づけて構成された画像情報を格納する画像記憶部４０３と、画像記憶部４０３に格納されている画像情報から、位置情報を抽出条件として画像の抽出を行うサーバ処理部４０１と、これら各部の機能を制御するサーバ制御部４０２とを備えている。なお、画像記憶部４０３は、サービス提供先毎に設定されていることもある。情報サーバ４は、通信ネットワーク１に接続されている無線基地局２とサーバ通信部４００とを介して携帯通信端末３と通信する。サーバ制御部４０２は、上記各部を制御し、サービス提供の契約を締結した携帯通信端末３からの要求に応じて画像の提供（送信）を行う機能を備えている。
【００２１】
携帯通信端末３間での画像の提供の際のシステムの動作を図２及び図３を使って説明する。図２は実施形態１に係る画像提供システムを構成する機器間の関係の例を示すブロック図である。図２では携帯通信端末３は、画像を提供する側（以下では送信側と言う）と画像を受ける側（以下では受信側と言う）とを区別して、送信側を携帯通信端末Ａ３１、受信側を携帯通信端末Ｂ３２としている。これに伴い、それぞれの構成要素の番号も変えているが、その中身は既に説明したとおりである。なお、図１の画像提供情報生成部３０１１については、図２では画像提供情報生成部３１１１として携帯通信端末Ａ３１についてのみ示し、図１の画像取得要求生成部３０１２については、図２では画像取得要求生成部３２１２として携帯通信端末Ｂ３２についてのみ示し、図１の画像情報生成部３０１３につては、図２では画像情報生成部３１１３として携帯通信端末Ａ３１についてのみ示している。図３は実施形態１に係る画像提供の準備工程および実行手順の概要を示す図である。
【００２２】
情報サーバ４は、図２に示すように、送信側の携帯通信端末Ａ３１とサービス提供の契約を締結しているものとする。情報サーバ４はサービス提供先の送信側の携帯通信端末Ａ３１に対して情報サーバ４の画像記憶部４０３のＵＲＬ情報（サービス元ＵＲＬ）や、画像記憶部４０３へのアクセスに必要な認証情報（ＵＲＬ情報と認証情報を、以下ではアクセス情報と呼ぶ）を定期的に、または必要の都度通知する。必要の都度とは、例えばアクセス情報に変更があったときである。これらの情報は送信側の携帯通信端末Ａ３１の端末記憶部３１３に格納され、次の通知があるまで保存される（図３の準備工程）。
【００２３】
以上を前提に、送信側の携帯通信端末Ａ３１の端末処理部３１１は、ユーザから、操作部３１６を介して、提供しようとする画像についての指示を受けて、端末記憶部３１３に格納されている、最新の画像記憶部４０３へのアクセス情報を読み出す（図２）。端末処理部３１１の画像提供情報生成部３１１１は、読み出されたアクセス情報に、提供しようとする画像を抽出するための条件である画像抽出条件を付加して画像提供情報を生成する（図２）。その後、端末制御部３１２は、無線通信部３１０を介して、作成された画像提供情報を、受信側の携帯通信端末Ｂ３２に、例えばメール等により送信する（図２、および図３の実行手順１参照）。
【００２４】
画像抽出条件は画像を撮影した場所の位置に関する情報とする。情報サーバ４の画像記憶部４０３には、画像と、その画像を撮影した場所の位置に関する情報が関連づけられてセットとなった画像情報が格納されている。そのため、位置を所定の範囲で指定することにより該当する画像を抽出することができる。画像を抽出するためのこの位置に関する情報は、例えば携帯通信端末Ａ３１の位置に基づき定める。携帯通信端末Ａ３１の位置はＧＰＳ信号を利用して測位部３１４で得ることができる（以下ではこの位置の情報をＧＰＳ位置とよぶ）ので、送信側は、このＧＰＳ位置に例えば半径を付加したものを位置に関する情報として画像抽出条件とする。付加した半径は、画像の抽出に際して、位置が一致するかどうかを判定する際の位置誤差の許容範囲となる。この半径の値は画像提供側のユーザが入力して決めてもよいし、所定値に固定しても良い。
【００２５】
無線通信部３２０を介してメールを受信した携帯通信端末Ｂ３２は、端末処理部３２１でメールを開き画像提供情報を取得する（図３の実行手順２）。そして、端末処理部３２１は、画像提供情報から、画像取得先として情報サーバ４の画像記憶部４０３へのアクセス情報を得る。端末処理部３２１の画像取得要求生成部３２１２は、画像提供情報に基づき情報サーバ４に対して画像の取得を要求する画像取得要求を生成する（図２、および図３の実行手順３）。画像取得要求は、画像提供情報に含まれる情報に画像送信先情報として携帯通信端末Ｂ３２のアドレスを付加したもので構成され、画像取得要求の送信先である情報サーバ４に対して、画像記憶部４０３に格納されている画像情報から画像抽出条件に合致する画像を抽出し、画像送信先情報としてアドレスを指定している携帯通信端末Ｂ３２へ抽出した画像を送信することを要求する。端末制御部３２２は、画像提供情報のアクセス情報に基づき、無線通信部３２０を介して、生成された画像取得要求を情報サーバ４に送信する（図２、および図３の実行手順３）。
【００２６】
情報サーバ４は、サーバ通信部４００を介して、画像取得要求を受信する。次に、サーバ処理部４０１は、受信した画像取得要求に含まれている、アクセス情報に従って画像記憶部４０３にアクセスし、同じく画像取得要求に含まれている画像抽出条件に従って、画像記憶部４０３に格納されている画像情報から要求された画像を抽出する（図２、および図３の実行手順４）。サーバ制御部４０２は、画像取得要求に含まれている携帯通信端末Ｂ３２のアドレスに基づき、サーバ通信部４００を介して、抽出した画像を携帯通信端末Ｂ３２に送信する（図２、および図３の実行手順５）。これにより画像情報の提供が完了する。
【００２７】
図４は実施形態１に係る画像情報、画像提供情報、画像取得要求の構成例を示す図である。図４（ａ）は画像情報の構成例、図４（ｂ）は画像提供情報の構成例、図４（ｃ）は画像取得要求の構成例である。画像情報は、図４（ａ）に示すように、撮影により取得された画像と、その画像の撮影された位置を示す撮影位置情報とで構成されている。画像情報は、情報サーバ４の画像記憶部４０３に格納され、画像データベースを形成している。
【００２８】
この画像は、例えば携帯通信端末Ａ３１のカメラ部３１５で撮影されたものである。また、撮影位置の情報は、ＧＰＳ衛星からの信号を利用して測位部３１４で取得することができる。
【００２９】
端末処理部３１１の画像情報生成部３１１３は、このようにして取得された画像と撮影位置情報とを画像情報として関連づける処理を行う。なお、画像情報生成部３１１３は必ずしも端末処理部３１１に含まれる必要はない。端末処理部３１１内であればどこでもよく、例えば端末制御部３１２やカメラ部３１５に含めることもできる。
【００３０】
このようにして得られた画像情報は、端末制御部３１２の制御により、無線通信部３１０および無線基地局２を介して情報サーバ４に送信され、情報サーバ４の画像記憶部４０３に格納されて画像データベースの一部となる。
【００３１】
なお、画像記憶部４０３に格納されて画像データベースを構成する画像情報は携帯通信端末Ａ３１で撮影された画像だけでなく、情報サーバ４の設置者により収集された画像等を含めてもよい。
【００３２】
画像提供情報は、図４（ｂ）に示すように、提供する画像の格納場所情報である情報サーバ４の画像記憶部４０３のＵＲＬと、その格納場所へのアクセス条件であるアクセス用認証情報、及び画像抽出条件である画像の撮影位置情報とをセットにしたものである。位置情報は画像抽出条件で指定された位置（位置座標）に対して、抽出対象となる画像の撮影位置の誤差の許容範囲、例えば半径値を付加したものである。
【００３３】
サービス提供元である情報サーバ４の画像記憶部４０３へのアクセス情報は、情報サーバ４から携帯通信端末Ａ３１に定期的に、または必要の都度送信されてくるので、携帯通信端末Ａ３１は、これを端末記憶部３１３に格納して利用することにより、アクセス情報に変更があった場合でも、検索等の手間を省くことができる。
【００３４】
画像取得要求は、図４（ｃ）に示すように、画像提供情報の内容に、画像送信先情報として、抽出した画像の送信先のアドレス、即ち携帯通信端末Ｂ３２のアドレス情報を付加したものである。
【００３５】
実施形態１に係る画像提供方法の詳細な手順を説明する。図５は実施形態１に係る画像提供の準備工程１の例を示すフロー図、図６は実施形態１に係る画像提供の準備工程２の例を示すフロー図、図７は実施形態１に係る画像提供方法１の例を示すフロー図である。
【００３６】
図５に示す画像提供の準備工程１は、図３に示す準備工程に該当するものである。情報サーバ４のサーバ制御部４０２は、アクセス情報に変更があったかどうかを判定し（ステップＳ１）、変更なしの場合（ステップＳ１；ＮＯ）、ステップＳ１に戻り、変更があるまで待機する。変更有りの場合（ステップＳ１；ＹＥＳ）、サービス提供先である携帯通信端末Ａ３１に、サーバ通信部４００を介して変更されたアクセス情報を通知する（ステップＳ２）。
【００３７】
携帯通信端末Ａ３１は、無線通信部３１０を介して画像記憶部４０３へのアクセス情報の通知を受信し（ステップＳ３）、通知に含まれるアクセス情報を端末記憶部３１３に格納する（ステップＳ４）。以上で準備工程１が終了する。
【００３８】
図５は上記通知を、必要の都度、例えば画像記憶部４０３のＵＲＬ情報やアクセスに必要な認証情報等に変更があった場合に行うという例であるが、この通知を定期的に実施するようにしてもよい。このときは、内蔵クロック等により経過時間を計測し、経過時間が所定時間以上になったかどうかを判定し（ステップＳ１）、所定時間未満であれば（ステップＳ１；ＮＯ）時間の経過を待ち、所定時間以上であれば（ステップＳ１；ＹＥＳ）、ステップ２以下を実行する。
【００３９】
図６に示す準備工程２は、図３では省略されているが、携帯通信端末Ａ３１で撮影した画像に基づく画像情報を情報サーバ４の画像記憶部４０３に格納するというものである。この工程は携帯通信端末Ａ３１のユーザが必要と判断し、操作部３１６を介して必要な入力を行った場合に実施される。
【００４０】
図６において、カメラ部３１５は、画像を撮影し（ステップＳ１０）、測位部３１４は、撮影時の携帯通信端末Ａ３１の位置、例えばＧＰＳ信号に基づく位置の情報を撮影位置として取得する（ステップＳ１１）。端末処理部３１１の画像情報生成部３１１３は、端末制御部３１２の指示により、この撮影した画像と撮影位置とを関連づけて、画像情報を生成する（ステップＳ１２）。端末制御部３１２は、無線通信部３１０を介して、生成された画像情報を情報サーバ４に送信する（ステップＳ１３）。
【００４１】
情報サーバ４は、サーバ通信部４００を介して画像情報を受信し（ステップＳ１４）、これを画像記憶部４０３に格納する（ステップＳ１５）。
【００４２】
画像提供の実行手順を図７の画像提供方法１のフロー図にしたがって説明する。携帯通信端末Ａ３１の測位部３１４は、現在いる場所の位置情報（現在位置情報）を取得する（ステップＳ２０）。端末処理部３１１は、端末記憶部３１３に格納されている情報サーバ４の画像記憶部４０３へのアクセス情報を読み出し、この情報に、前記取得した現在位置情報を元に作成した画像抽出条件を付加して画像提供情報を生成する（ステップＳ２１）。次に、端末制御部３１２は、無線通信部３１０を介して、携帯通信端末Ｂ３２に生成した画像提供情報を送信する（ステップＳ２２）。この送信をメールにし、画像提供情報を添付ファイルにしてもよい。
【００４３】
携帯通信端末Ｂ３２は、無線通信部３２０を介して、携帯通信端末３１Ａからの送信情報、例えばメールを受信する（ステップＳ２３）。端末処理部３２１は、受信したメール等を開き、取得した画像提供情報に画像送付先情報として携帯通信端末Ｂ３２のアドレス情報を付加して画像取得要求を生成する（ステップＳ２４）。携帯通信端末Ｂ３２の端末制御部３２２は、ブラウザを起動して、画像提供情報から得た情報サーバ４の画像記憶部４０３へのアクセス情報に基づき、無線通信部３２０を介して、生成した画像取得要求を情報サーバ４に送信する（ステップＳ２５）。
【００４４】
情報サーバ４は、サーバ通信部４００を介して、画像取得要求を受信し（ステップＳ２６）、サーバ処理部４０１は、画像取得要求に含まれている画像記憶部４０３へのアクセス情報に基づき、画像記憶部４０３に格納されている画像情報から、画像取得要求に含まれる画像抽出条件に合致する画像を抽出する（ステップＳ２７）。
【００４５】
図８は実施形態１に係る画像抽出ステップの詳細例を示すフロー図であり、図７に示すステップＳ２７の内容を詳細に示したものである。図８において、情報サーバ４のサーバ処理部４０１は、画像取得要求から画像抽出条件を取得する（ステップＳ２７１）。また、サーバ処理部４０１は、画像取得要求にある、情報サーバ４の画像記憶部４０３へのアクセス情報に基づき、画像記憶部４０３にアクセスする（ステップＳ２７２）。次に、画像記憶部４０３内の画像データベースから各画像情報の位置情報を読み出し（ステップＳ２７３）、画像抽出条件に合致するかどうか照合する（ステップＳ２７４）。読み出した画像情報の位置情報が、画像抽出条件に合致する場合（ステップＳ２７４；ＹＥＳ）、その画像情報の画像は抽出画像として登録され（ステップＳ２７５）、次のステップＳ２７６に移行する。読み出した画像情報の位置情報が、画像抽出条件に合致しなかった場合（ステップＳ２７４；ＮＯ）、抽出対象の画像ではないとして次のステップＳ２７６に移行する。次に、情報サーバ４は、画像記憶部４０３にまだ読み出していない画像情報が残っているかどうか、すなわち各画像情報の読み出しが完了したかどうかを判定する（ステップＳ２７６）。完了していない場合（ステップＳ２７６；ＮＯ）、ステップＳ２７３に戻り処理を継続する。完了している場合（ステップＳ２７６；ＹＥＳ）、画像の抽出を完了る（ステップＳ２７７）。
【００４６】
なお、画像抽出条件に合致するかどうかは、抽出条件に記載されたＧＰＳ位置を中心として所定の誤差の範囲内、例えば所定の半径内、に画像の撮影位置が含まれるかどうかで判断する。なお、この所定の半径等の値は、画像を提供する側である携帯通信端末Ａ３１のユーザが設定し、画像提供情報の画像抽出条件に含めるとして説明したが、あらかじめ固定値に定めてもよい。
【００４７】
図７に戻り、情報サーバ４のサーバ制御部４０２は、画像取得要求中の画像送信先情報として記載されている携帯通信端末Ｂ３２のアドレス情報に基づき、抽出した画像を、サーバ通信部４００および無線基地局２を介して携帯通信端末Ｂ３２に送信する（ステップＳ２８）。
【００４８】
サーバ制御部４０２は、抽出した画像を携帯通信端末Ｂ３２に送信した後、サーバ通信部４００を介して、提供希望のあった画像情報を携帯通信端末Ｂ３２に送信した旨の画像提供完了通知を携帯通信端末Ａ３１に送信する（ステップＳ２９）。この通知により、携帯通信端末Ａ３１のユーザは、携帯通信端末Ｂ３２に画像が送られたことを認識できるので、これを前提にその後の携帯通信端末Ｂ３２との送受信を行うことができる。
【００４９】
また、この画像提供完了通知には、携帯通信端末Ｂ３２に送信したものと同じ画像、またはそれを簡略化した画像を含めてもよい。これより、携帯通信端末Ａ３１のユーザは、情報サーバ４が携帯通信端末Ｂ３２に送信した画像が、意図した画像と一致したものであるかどうかを確認することができる。簡略化した画像とは、縮約した画像等が考えられる。
【００５０】
以上の画像提供システム、または画像提供方法に依れば、情報サーバ４の画像記憶部４０３へのアクセスに必要な情報を、定期的または必要に応じて情報サーバ４から携帯通信端末Ａ３１に通知し、携帯通信端末Ａ３１内の端末記憶部３１３に格納しているので、携帯通信端末Ａ３１のユーザは、画像の提供の際、これを読み出して利用することにより、画像の格納先を調べる必要がなくなる。
【００５１】
また、画像抽出条件を画像提供情報に含めることにより、提供対象となる画像を容易に特定し、抽出することができる。これにより携帯通信端末間で簡便な画像の提供が可能となる。
【００５２】
更に、画像抽出条件を画像の撮影位置に依ることとし、その撮影位置を携帯通信端末Ａ３１で取得できるＧＰＳ位置としたので、その位置で撮影された画像を簡便に抽出することができる。
【００５３】
（実施形態２）
実施形態２では、携帯通信端末Ａ３１から携帯通信端末Ｂ３２への画像の提供は２台の情報サーバを介して行われる。図９は本発明の実施形態２に係る画像提供システムの例を示す概略図、図１０は実施形態２に係る画像提供システムを構成する機器間の関係の例を示す回路ブロック図である。実施形態１の図１、図２とのシステム構成上の違いは受信側の携帯通信端末Ｂ３２のサービス提供元である情報サーバＤ４２を導入したことである。送信側の携帯通信端末Ａ３１のサービス提供元である情報サーバ４は、この情報サーバＤ４２と区別するために情報サーバＣ４１とする。これに伴い、情報サーバＣ４１、および情報サーバＤ４２を構成する各部の符号を変えたがその機能は後述するサーバ処理部４１１、４２１およびこれを制御するサーバ制御部４１２、４２２を除き実施形態１と同様である。
【００５４】
実施形態２に係る画像提供システムにおいて、携帯通信端末３間で画像を提供する際のシステムの動作を説明する。図１１は実施形態２に係る画像提供の準備工程および実行手順の概要を示す図である。以下、図１０、図１１を使って説明する。
【００５５】
図１０に示すように、情報サーバＣ４１は、送信側携帯通信端末Ａ３１とサービス提供の契約を締結し、情報サーバＤ４２は、送信側携帯通信端末Ｂ３２とサービス提供の契約を締結しているものとする。情報サーバＣ４１、Ｄ４２はそれぞれ、サービス提供先の携帯通信端末Ａ３１、Ｂ３２に対して画像の格納領域へのそれぞれのアクセス情報（アクセス情報Ｃ、Ｄとする）を、実施形態１と同様に、定期的に、または必要の都度通知する。これらの情報は携帯通信端末Ａ３１、Ｂ４２の端末記憶部３１３、３２３にそれぞれ格納され、次の通知があるまで保存される（図１１の準備工程）。
【００５６】
提供することを希望する画像があれば、送信側の携帯通信端末Ａ３１から、受信側の携帯通信端末Ｂ３２に、画像提供情報を生成し、送信する（図１０、および図１１の実行手順１参照）。詳細は、実施形態１の場合と同じである。この画面提供情報に含まれるアクセス情報は、アクセス情報Ｃである。
【００５７】
携帯通信端末Ｂ３２は、実施形態１の場合と同様に、受信した画像提供情報に基づき画像取得要求を生成する（図１０、および図１１の実行手順２、３参照）。
【００５８】
図１２は実施形態２に係る画像取得要求の構成例を示す概略図である。画像取得要求には、画像提供情報の内容とともに、更に、画像送信先情報として情報サーバＤ４２の画像記憶部４２３へのアクセス情報Ｄと、画像取得要求元情報として画像取得要求の要求元である携帯通信端末Ｂ３２のアドレス情報が、付加されている。携帯通信端末Ｂ３２の画像取得要求生成部３２１２は、受信した画像提供情報と、端末記憶部３２３から取得したアクセス情報Ｄに基づき、この画像取得要求を生成する。
【００５９】
端末制御部３２２は、生成された画像取得要求を、実施形態１の場合と同様に、画像提供情報に含まれる情報サーバＣ４１の画像記憶部４１３へのアクセス情報に基づき、無線通信部３２０を介して、情報サーバＣ４１に送信する（図１０、および図１１の実行手順３）。
【００６０】
画像取得要求を受信した情報サーバＣ４１は、実施形態１と同様に画像抽出条件に従って、画像記憶部４１３に格納されている画像情報から要求された画像を抽出する（図１０、および図１１の実行手順４）。次に、サーバ制御部４１２は、画像取得要求の中の画像送信先情報に基づき、サーバ通信部４１０を介して、画像取得要求の要求元である携帯通信端末Ｂ３２のアドレス情報を取得し、これを画像取得要求元情報として付加して、抽出した画像とともに情報サーバＤ４２に送信する（図１０、および図１１の実行手順４）。
【００６１】
情報サーバＤ４２は、情報サーバＣ４１から送信された情報をサーバ通信部４２０を介して受信する。サーバ制御部４２２は、受信した情報に含まれる抽出された画像を、画像送信先情報として指定されている画像記憶部４２３に格納する（図１０、および図１１の実行手順５）。
【００６２】
また、情報サーバＤ４２は、受信した情報に含まれる画像取得要求元情報に基づき、サーバ通信部２４０を介して、取得抽出された画像を画像記憶部４２３に格納した旨の画像格納完了通知を携帯通信端末Ｂ３２に送信する（図１０、および図１１の実行手順５）。
【００６３】
上記画像格納完了通知を受けた携帯通信端末Ｂ３２は、予め端末記憶部３２３に格納されている画像記憶部４２３へのアクセス情報Ｄに基づき、情報サーバＤ４２の画像記憶部４２３にアクセスし、抽出された画像を閲覧もしくはダウンロードすることができる。
【００６４】
実施形態２に係る画像提供方法の詳細な手順をフロー図で説明する。実施形態２の画像提供の準備工程は、それぞれの携帯通信端末に対して、実施形態１の図５、図６のフロー図と同じである。図１３は実施形態２に係る画像提供方法２の例を示すフロー図で、図１２に示す画像提供の実行手順に相当する。
【００６５】
実施形態２に係る画像提供方法の実行手順を図１３に従って説明する。図１３のステップＳ３０からステップＳ３７までの処理、すなわち、画像の抽出までの処理は実施形態１の図７のステップＳ２０からＳ２７までの処理内容と基本的には同じである。ただし、ステップＳ３４の画像取得要求の画像送信先情報は、実施形態１の場合と異なり、情報サーバＤ４２の画像記憶部４２３へのアクセスに必要な情報である。
【００６６】
情報サーバＣ４１のサーバ制御部４１２は、抽出した画像を、サーバ通信部４１０を介して、情報サーバＤ４２に送信する（ステップＳ３８）。このとき、サーバ制御部４１２は、画像取得要求の中の画像送信先情報に基づいて、情報サーバＤ４２の画像記憶部４２３を画像の送信先として設定する。なお、送信する情報の中に、画像取得要求元情報として画像取得要求の要求元である携帯通信端末Ｂ３２のアドレスト情報を含める。
【００６７】
情報サーバＤ４２は、サーバ通信部４２０を介して、情報サーバＣ４１から送信された上記画像を受信し、画像記憶部４２３に格納する（ステップＳ３９）。
【００６８】
このとき格納する画像を他の画像情報と識別できるように、格納した画像を特定するための情報を含めることができる。この情報は例えば格納した日時、格納順などが考えられる。画像記憶部４２３内で格納領域を分けてもよい。
【００６９】
抽出された画像の格納が完了した後、情報サーバＤ４２のサーバ制御部４２２は、サーバ通信部４２０を介して、携帯通信端末Ｂ３２に、画像の格納が完了した旨の画像格納完了通知を送信する（ステップＳ４０）。この送信先は、サーバ制御部４２２により設定されるが、詳細は実施形態１で説明した内容と同様である。
【００７０】
画像格納完了通知には、格納された画像を携帯通信端末Ｂ３２側で特定するための情報を含めることができる。この情報には例えば格納した日時、画像の番号、数などが考えられる。格納する画像を他の画像と区別するために画像記憶部４２３内で格納領域を分けた場合は、該当する画像記憶部４２３のＵＲＬを含める。
【００７１】
画像格納完了通知を送信した後に、情報サーバＤ４２のサーバ制御部４２２は、携帯通信端末Ａ３１に対して、以上の処理が完了したことを通知する画像提供完了通知を送信する（ステップＳ４１）。この通知により、携帯通信端末Ａ３１のユーザは、画像の提供が完了したことを確認することができ、画像提供が完了したことを前提として携帯通信端末Ｂ３２との通信を行うことができる。
【００７２】
画像提供完了通知には、実施形態１で説明した簡略化した画像を含めてもよい。その場合は、携帯通信端末Ａ３１のユーザは、画像記憶部４２３に格納された画像が、意図した画像と一致したものであるかどうかを確認することができる。
【００７３】
携帯通信端末Ｂ３２は、無線通信部３２０を介して画像格納完了通知を受信することにより、画像記憶部４２３にアクセスして、抽出された画像を閲覧または取得する（ステップＳ４２）。画像記憶部４２３へのアクセスには、準備工程１で予め端末記憶部３１３に格納されている画像記憶部４２３へのアクセス情報Ｄを使用することができる。なお、画像格納完了通知に画像記憶部４２３のＵＲＬが含まれている場合は、そのＵＲＬにアクセスする。
【００７４】
なお、情報サーバＤ４２は、抽出された画像を携帯通信端末Ｂ３２に送信することにしてもよい。この場合は、ステップＳ３９とＳ４２を削除し、ステップＳ４０を図７のステップＳ２８と同じ内容にする。ステップＳ２８の送信主体は情報サーバＤ４２である。
【００７５】
実施形態２に係る画像提供システム、及び画像提供方法によっても実施形態１の場合と同様の効果を期待することができる。
【００７６】
なお、実施形態１、及び２の説明では、画像抽出条件として画像の撮影位置情報をＧＰＳ位置としたが、これに限定する必要はない。例えば複数の無線基地局からの信号に基づいて算出した位置など、各種手段により取得できる位置情報を使用してもよい。
【００７７】
なお、携帯通信端末３の端末処理部３０１、端末制御部３０２、測位部３０４はＣＰＵ（Ｃｅｎｔｒａｌ  Ｐｒｏｃｅｓｓｉｎｇ  Ｕｎｉｔ）で構成され、端末記憶部３０３に格納されたプログラムを読み出して実行することにより、所期の機能が実現できる。情報サーバ４のサーバ処理部４０１、サーバ制御部４０２も同様に、明示していない記憶部に格納されたプログラムを読み出して実行することにより、所期の機能が実現できる。このことは携帯通信端末Ａ３１、携帯通信端末Ｂ３２、情報サーバＣ４１、情報サーバＤ４２についても同様である。従って、図５、６、７、８、及び１３に示すフロー図は画像提供プログラムの処理内容をも示す。この画像提供プログラムによっても実施形態１、２と同様の効果を奏することができる。
【００７８】
上記の実施形態の一部又は全部は、以下の付記のようにも記載されうるが、以下には限られない。
【００７９】
（付記１）第１の携帯通信端末と、第２の携帯通信端末と、通信ネットワークに接続され、複数の画像を格納した画像記憶部を有し、前記携帯通信端末にサービスを提供する情報サーバとを備え、前記第１の携帯通信端末から前記第２の携帯通信端末への通知により、前記情報サーバを介して、前記第２の携帯通信端末に前記画像を提供する画像提供システムにおいて、
前記画像記憶部に格納された前記画像は、該画像と、該画像の抽出用情報とを関連づけて構成された画像情報であり、
前記第１の携帯通信端末は、
前記情報サーバから通知される前記画像記憶部へのアクセスに必要な情報であるアクセス情報を格納する第１の端末記憶部と、
提供する画像を抽出するための条件である画像抽出条件、および前記第１の端末記憶部から読み出した前記アクセス情報を含む画像提供情報を、前記第２の携帯通信端末への前記通知の内容として生成する画像提供情報生成部と、
生成した前記画像提供情報を前記第２の携帯通信端末に送信する第１の無線通信部と、を備え、
前記第２の携帯通信端末は、
受信した前記画像提供情報に含まれる前記画像抽出条件、および前記アクセス情報を含む画像取得要求を生成する画像取得要求生成部と、        
生成した前記画像取得要求を、前記アクセス情報に基づき、前記情報サーバに送信する第２の無線通信部と、を備え、
前記情報サーバは、
受信した前記画像取得要求に基づき、前記画像記憶部に格納された前記画像情報から前記画像抽出条件に合致する画像を抽出する画像抽出部を備える、
ことを特徴とする画像提供システム。
【００８０】
（付記２）前記画像取得要求は、
画像送信先情報として前記第２の携帯通信端末のアドレスを更に含み、
前記情報サーバは、
前記画像記憶部として第１の画像記憶部を有し、
前記第１の携帯通信端末にサービスを提供する第１の情報サーバであり、
前記アクセス情報を、前記第１の画像記憶部へのアクセス情報である第１のアクセス情報とし、
前記画像取得要求に含まれる前記画像送信先情報に基づき、前記抽出した画像を前記第２の携帯通信端末が認識できるようにする部位を備える、
ことを特徴とする付記１に記載の画像提供システム。
【００８１】
（付記３）前記情報サーバは、
前記画像記憶部として第１の画像記憶部を有し、前記第１の携帯通信端末にサービスを提供する第１の情報サーバと、
前記画像記憶部として第２の画像記憶部を有し、前記第２の携帯通信端末にサービスを提供する第２の情報サーバと、を備え、
前記第１の端末記憶部に記憶される前記アクセス情報は、
前記第１の画像記憶部へのアクセスに必要な情報である第１のアクセス情報であり、
前記第２の携帯通信端末は、
前記第２の情報サーバから通知される前記第２の画像記憶部へのアクセスに必要な情報である第２のアクセス情報を格納する第２の端末記憶部を更に備えるとともに、
前記画像取得要求は、
画像送信先情報として前記第２の端末記憶部から読み出した前記第２のアクセス情報、および画像取得要求元情報として前記第２の携帯通信端末のアドレスを更に加えたものであり、
前記第１の情報サーバは、
前記画像送信先情報に基づき、前記抽出した画像を前記第２の情報サーバに送信する第１のサーバ通信部を備え、
前記第２の情報サーバは、
前記画像取得要求元情報に基づき、受信した前記画像を、前記第２の携帯通信端末が認識できるようにする部位を備える、
ことを特徴とする付記１に記載の画像提供システム。
【００８２】
（付記４）前記認識できるようにする部位は、前記受信した画像を前記第２の携帯通信端末に送信する前記第１の情報サーバのサーバ通信部である、
ことを特徴とする付記２に記載の画像提供システム。
【００８３】
（付記５）前記認識できるようにする部位は、前記受信した画像を前記第２の携帯通信端末に送信する前記第２の情報サーバのサーバ通信部である、
ことを特徴とする付記３に記載の画像提供システム。
【００８４】
（付記６）前記認識できるようにする部位は、
前記受信した画像を前記第２の画像記憶部に格納する制御を行う前記第２の情報サーバのサーバ制御部と、
前記格納が完了したことを前記第２の携帯通信端末に通知する前記第２の情報サーバのサーバ通信部と、で構成されている、
ことを特徴とする付記３に記載の画像提供システム。
【００８５】
（付記７）前記第１の情報サーバは、前記抽出された画像を前記第２の携帯通信端末が認識できるようにした後、前記第１の携帯通信端末に対して画像の提供が完了した旨を通知するサーバ通信部を備える、
ことを特徴とする付記２又は４に記載の画像提供システム。
【００８６】
（付記８）前記第２の情報サーバは、前記抽出された画像を前記第２の携帯通信端末が認識できるようにした後、前記第１の携帯通信端末に対して画像の提供が完了した旨を通知するサーバ通信部を備える、
ことを特徴とする付記３、５、及び６のいずれか１項に記載の画像提供システム。
【００８７】
（付記９）前記第１の携帯通信端末は、その位置の情報を取得する測位部を備え、
前記画像情報を構成する前記画像の抽出用情報は、該画像の撮影位置であり、
前記画像抽出条件は、前記画像の撮影位置が、前記測位部で取得された前記第１の携帯通信端末の位置と所定の範囲内で一致することである、
ことを特徴とする付記２乃至８のいずれか１項に記載の画像提供システム。
【００８８】
（付記１０）前記第１の携帯通信端末は、
撮影手段と、
前記撮影手段により撮影された画像を、前記測位部により取得した撮影時の位置である撮影位置と関連づけて前記画像情報とする画像情報生成部と、を備え
前記生成した画像情報を前記第１の情報サーバに送信し、
前記第１の情報サーバは、受信した前記生成した画像情報を、前記第１の画像記憶部に格納する、
ことを特徴とする付記９に記載の画像提供システム。
【００８９】
（付記１１）第１の携帯通信端末と、第２の携帯通信端末と、通信ネットワークに接続され、複数の画像を格納した画像記憶部を有し、前記携帯通信端末にサービスを提供する情報サーバとを備え、前記第１の携帯通信端末から前記第２の携帯通信端末への通知により、前記情報サーバを介して、前記第２の携帯通信端末に前記画像を提供する画像提供方法において、
前記画像記憶部に格納された前記画像は、該画像と、該画像の抽出用情報とを関連づけて構成された画像情報であり、
前記第１の携帯通信端末が、前記情報サーバから通知される前記画像記憶部へのアクセスに必要な情報であるアクセス情報を、前記第１の携帯通信端末の記憶部である第１の端末記憶部に格納するアクセス情報格納ステップと、
前記第１の携帯通信端末が、画像抽出条件、および前記第１の端末記憶部から読み出した前記アクセス情報を含む画像提供情報を、前記第２の携帯通信端末への前記通知の内容として生成する画像提供情報生成ステップと、
生成した前記画像提供情報を、前記第２の携帯通信端末に送信する画像提供情報送信ステップと、
前記第２の携帯通信端末が、受信した前記画像提供情報に含まれる前記画像抽出条件、および前記アクセス情報を含む画像取得要求を生成する画像取得要求生成ステップと、
生成した前記画像取得要求を、前記アクセス情報に基づき、前記情報サーバに送信する画像要求送信ステップと、
前記情報サーバが、受信した前記画像取得要求に基づき、前記画像記憶部に格納された前記画像情報から前記画像抽出条件に合致する画像を抽出する画像抽出ステップと、
を備えることを特徴とする画像提供方法。
【００９０】
（付記１２）第１の携帯通信端末と、第２の携帯通信端末と、通信ネットワークに接続され、複数の画像を格納した画像記憶部を有し、前記携帯通信端末にサービスを提供する情報サーバとを備え、前記第１の携帯通信端末から前記第２の携帯通信端末への通知により、前記情報サーバを介して、前記第２の携帯通信端末に前記画像を提供する画像提供プログラムにおいて、
前記画像記憶部に格納された前記画像は、該画像と、該画像の抽出用情報とを関連づけて構成された画像情報であり、
前記第１の携帯通信端末が、前記情報サーバから通知される前記画像記憶部へのアクセスに必要な情報であるアクセス情報を、前記第１の携帯通信端末の記憶部である第１の端末記憶部に格納するアクセス情報格納ステップと、
前記第１の携帯通信端末が、画像抽出条件、および前記第１の端末記憶部から読み出した前記アクセス情報を含む画像提供情報を、前記第２の携帯通信端末への前記通知の内容として生成する画像提供情報生成ステップと、
生成した前記画像提供情報を、前記第２の携帯通信端末に送信する画像提供情報送信ステップと、
前記第２の携帯通信端末が、受信した前記画像提供情報に含まれる前記画像抽出条件、および前記アクセス情報を含む画像取得要求を生成する画像取得要求生成ステップと、
生成した前記画像取得要求を、前記アクセス情報に基づき、前記情報サーバに送信する画像要求送信ステップと、
前記情報サーバが、受信した前記画像取得要求に基づき、前記画像記憶部に格納された前記画像情報から前記画像抽出条件に合致する画像を抽出する画像抽出ステップと、
をコンピュータに実行させることを特徴とする画像提供プログラム。
【符号の説明】
【００９１】
１  ネットワーク
２  無線基地局
３  携帯通信端末
４  情報サーバ
３１  携帯通信端末Ａ（送信側）
３２  携帯通信端末Ｂ（受信側）
４１  情報サーバＣ
４２  情報サーバＤ
３００、３１０、３２０  無線通信部  
３０１、３１１、３２１  端末処理部
３０２、３１２、３２２  端末制御部
３０３、３１３、３２３  端末記憶部
３０４、３１４、３２４  測位部
３０５、３１５、３２５  カメラ部
３０６、３１６、３２６  操作部
３０７、３１７、３２７  スピーカ
３０８、３１８、３２８  音声処理部
３０９、３１９、３２９  表示部
４００、４１０、４２０  サーバ通信部
４０１、４１１、４２１  サーバ処理部
４０２、４１２、４２２  サーバ制御部
４０３、４１３、４２３  画像記憶部
３０１１、３１１１  画像提供情報生成部
３０１２、３２１２  画像取得要求生成部
３０１３、３１１３  画像情報生成部
３０８１、３１８１、３２８１  送話マイク
３０８２、３１８２、３２８２  受話スピーカ
【図１】
2011203876.tif 000003
【図２】
2011203876.tif 000004
【図３】
2011203876.tif 000005
【図４】
2011203876.tif 000006
【図５】
2011203876.tif 000007
【図６】
2011203876.tif 000008
【図７】
2011203876.tif 000009
【図８】
2011203876.tif 000010
【図９】
2011203876.tif 000011
【図１０】
2011203876.tif 000012
【図１１】
2011203876.tif 000013
【図１２】
2011203876.tif 000014
【図１３】
2011203876.tif 000015